【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
コンテンツ供給部と、少なくとも１つのコンテンツ表示再生部と、これらのコンテンツ供給部及びコンテンツ表示再生部に対して制御を行う少なくとも１つの操作制御部とを有し、上記操作制御部での操作制御によりコンテンツ供給部からのコンテンツをネットワーク経由でコンテンツ表示再生部に送信して表示再生するシステムであって、
上記操作制御部は、
ユーザによる操作入力を受け付ける入力操作受付手段と、
上記入力操作受付手段によって受け付けた操作入力に応じて上記コンテンツ情報を上記各部間で送受するための制御信号を生成する制御信号生成手段と、
上記制御信号生成手段によって上記コンテンツ供給部からのコンテンツ情報が送られて表示再生されたコンテンツ表示再生部の選択履歴情報を記憶する記憶手段とを備え、
上記入力操作受付手段によって上記コンテンツ供給部からのコンテンツ情報をコンテンツ表示再生部に送信して表示再生を行う操作入力を受け付けた際に、上記制御信号生成手段は、上記記憶手段に記憶されたコンテンツ表示再生部の選択履歴情報に基づいて所定のコンテンツ表示再生部を選択し、この選択されたコンテンツ表示再生部に上記コンテンツ供給部からのコンテンツ情報を送信して表示再生を行わせるための制御信号を生成する
ことを特徴とするコンテンツ表示再生システム。
【請求項２】
上記制御信号生成手段は、上記記憶手段に記憶された選択履歴情報に基づいて、前回選択されたコンテンツ表示再生部を選択することを特徴とする請求項１記載のコンテンツ表示再生システム。
【請求項３】
上記制御信号生成手段は、上記記憶手段に記憶された選択履歴情報に基づいて、選択された頻度が最も高いコンテンツ表示再生部を選択することを特徴とする請求項１記載のコンテンツ表示再生システム。
【請求項４】
上記操作制御部としてコンテンツ表示再生機能を有するコンテンツ表示再生兼操作制御部を用い、上記制御信号生成手段は、コンテンツ表示再生兼操作制御部及びコンテンツ表示再生部の選択履歴情報に基づいて所定のコンテンツ表示再生兼操作制御部又はコンテンツ表示再生部を選択することを特徴とする請求項１記載のコンテンツ表示再生システム。
【請求項５】
上記コンテンツ表示再生部は、上記操作制御部による再生制御要求がなされたとき、少なくとも、現在の動作状態に応じて当該再生制御操作を受け付けるか否かを判断することを特徴とする請求項１記載のコンテンツ表示再生システム。
【請求項６】
上記コンテンツ表示再生部は、上記操作制御部による再生制御要求がなされたとき、現在の動作状態を当該操作制御部に送信して、警告表示を行わせることを特徴とする請求項５記載のコンテンツ表示再生システム。
【請求項７】
上記コンテンツ表示再生部は、現在の動作状態の起点となる制御の要求を行った操作制御部を特定するための識別情報を保持することを特徴とする請求項５記載のコンテンツ表示再生システム。
【請求項８】
上記コンテンツ表示再生部は、上記現在の動作状態の起点となる制御の要求を行った操作制御部を特定するための識別情報を、任意の操作制御部による再生制御要求がなされたときに当該任意の操作制御部に送信することを特徴とする請求項７記載のコンテンツ表示再生システム。
【請求項９】
上記コンテンツ表示再生部は、現在の動作状態の起点となる制御の要求を行った操作制御部以外の操作制御部からの再生制御要求を拒否することを特徴とする請求項１記載のコンテンツ表示再生システム。
【請求項１０】
コンテンツ供給部と、複数のコンテンツ表示再生部と、これらのコンテンツ供給部及びコンテンツ表示再生部に対して制御を行う操作制御部とを有し、操作制御部での操作制御によりコンテンツ供給部からのコンテンツをネットワーク経由でコンテンツ表示再生部に送信して表示再生するシステムであって、
上記操作制御部は、
ユーザによる操作入力を受け付ける入力操作受付手段と、
上記入力操作受付手段によって受け付けた操作入力に応じて上記コンテンツ情報を上記各部間で送受するための制御信号を生成する制御信号生成手段と、
上記制御信号生成手段によって上記コンテンツ供給部からのコンテンツ情報が送られて表示再生されたコンテンツ表示再生部の選択の履歴情報を記憶する記憶手段と、
表示手段とを備え、
上記入力操作受付手段によって上記コンテンツ供給部からのコンテンツ情報をコンテンツ表示再生部に送信して表示再生を行う操作入力を受け付けた際に、上記表示手段は、上記記憶手段に記憶されたコンテンツ表示再生部の選択の履歴情報に基づいて、選択の頻度の高い順のコンテンツ表示再生部のリストを表示する
ことを特徴とするコンテンツ表示再生システム。
【請求項１１】
コンテンツ供給部と、少なくとも１つのコンテンツ表示再生部と、これらのコンテンツ供給部及びコンテンツ表示再生部に対して制御を行う操作制御部とを有し、操作制御部での操作制御によりコンテンツ供給部からのコンテンツをネットワーク経由でコンテンツ表示再生部に送信して表示再生するシステムのコンテンツ表示再生方法であって、
上記操作制御部における制御は、
ユーザによる操作入力を受け付ける入力操作受付工程と、
上記入力操作受付工程によって受け付けた操作入力に応じて上記コンテンツ情報を上記各部間で送受するための制御信号を生成する制御信号生成工程と、
上記制御信号生成工程によって上記コンテンツ供給部からのコンテンツ情報が送られて表示再生されたコンテンツ表示再生部の選択履歴情報を記憶手段に記憶する記憶工程とを備え、
上記入力操作受付工程によって上記コンテンツ供給部からのコンテンツ情報をコンテンツ表示再生部に送信して表示再生を行う操作入力を受け付けた際に、上記制御信号生成工程は、上記記憶手段に記憶されたコンテンツ表示再生部の選択履歴情報に基づいて所定のコンテンツ表示再生部を選択し、この選択されたコンテンツ表示再生部に上記コンテンツ供給部からのコンテンツ情報を送信して表示再生を行わせるための制御信号を生成する
ことを特徴とするコンテンツ表示再生方法。
【請求項１２】
上記制御信号生成工程は、上記記憶手段に記憶された選択履歴情報に基づいて、前回選択されたコンテンツ表示再生部を選択することを特徴とする請求項１１記載のコンテンツ表示再生方法。
【請求項１３】
上記制御信号生成工程は、上記記憶手段に記憶された選択履歴情報に基づいて、選択された頻度が最も高いコンテンツ表示再生部を選択することを特徴とする請求項１１記載のコンテンツ表示再生方法。
【請求項１４】
上記操作制御部としてコンテンツ表示再生機能を有するコンテンツ表示再生兼操作制御部を用い、上記制御信号生成部は、コンテンツ表示再生兼操作制御部及びコンテンツ表示再生部の選択履歴情報に基づいて所定のコンテンツ表示再生兼操作制御部又はコンテンツ表示再生部を選択することを特徴とする請求項１１記載のコンテンツ表示再生方法。
【請求項１５】
上記コンテンツ表示再生部は、上記操作制御部による再生制御要求がなされたとき、少なくとも、現在の動作状態に応じて当該再生制御操作を受け付けるか否かを判断することを特徴とする請求項１１記載のコンテンツ表示再生方法。
【請求項１６】
上記コンテンツ表示再生部は、上記操作制御部による再生制御要求がなされたとき、現在の動作状態を当該操作制御部に送信して、警告表示を行わせることを特徴とする請求項１５記載のコンテンツ表示再生方法。
【請求項１７】
コンテンツ供給部と、複数のコンテンツ表示再生部と、これらのコンテンツ供給部及びコンテンツ表示再生部に対して制御を行う操作制御部とを有し、操作制御部での操作制御によりコンテンツ供給部からのコンテンツをネットワーク経由でコンテンツ表示再生部に送信して表示再生するシステムのコンテンツ表示再生方法であって、
上記操作制御部における制御は、
ユーザによる操作入力を受け付ける入力操作受付工程と、
上記入力操作受付工程によって受け付けた操作入力に応じて上記コンテンツ情報を上記各部間で送受するための制御信号を生成する制御信号生成工程と、
上記制御信号生成工程によって上記コンテンツ供給部からのコンテンツ情報が送られて表示再生されたコンテンツ表示再生部の選択の履歴情報を記憶手段に記憶する記憶工程と、
上記操作制御部の表示部に表示する表示工程とを備え、
上記入力操作受付工程によって上記コンテンツ供給部からのコンテンツ情報をコンテンツ表示再生部に送信して表示再生を行う操作入力を受け付けた際に、上記表示工程では、上記記憶手段に記憶されたコンテンツ表示再生部の選択の履歴情報に基づいて、選択の頻度の高い順のコンテンツ表示再生部のリストを表示する
ことを特徴とするコンテンツ表示再生方法。
【請求項１８】
コンテンツ供給部と、少なくとも１つのコンテンツ表示再生部と、これらのコンテンツ供給部及びコンテンツ表示再生部に対して制御を行う操作制御部とを有し、操作制御部での操作制御によりコンテンツ供給部からのコンテンツをネットワーク経由でコンテンツ表示再生部に送信して表示再生するシステムにおけるコンテンツを表示再生するためのコンテンツ表示再生プログラムが記録された記録媒体であって、
上記操作制御部における制御は、
ユーザによる操作入力を受け付ける入力操作受付工程と、
上記入力操作受付工程によって受け付けた操作入力に応じて上記コンテンツ情報を上記各部間で送受するための制御信号を生成する制御信号生成工程と、
上記制御信号生成工程によって上記コンテンツ供給部からのコンテンツ情報が送られて表示再生されたコンテンツ表示再生部の選択履歴情報を記憶手段に記憶する記憶工程とを備え、
上記入力操作受付工程によって上記コンテンツ供給部からのコンテンツ情報をコンテンツ表示再生部に送信して表示再生を行う操作入力を受け付けた際に、上記制御信号生成工程は、上記記憶手段に記憶されたコンテンツ表示再生部の選択履歴情報に基づいて所定のコンテンツ表示再生部を選択し、この選択されたコンテンツ表示再生部に上記コンテンツ供給部からのコンテンツ情報を送信して表示再生を行わせるための制御信号を生成する
ことを特徴とするコンテンツ表示再生プログラムが記録されたコンピュータ読み取り可能な記録媒体。
【請求項１９】
コンテンツ供給部と、少なくとも１つのコンテンツ表示再生部と、これらのコンテンツ供給部及びコンテンツ表示再生部に対して制御を行う操作制御部とを有し、操作制御部での操作制御によりコンテンツ供給部からのコンテンツをネットワーク経由でコンテンツ表示再生部に送信して表示再生するシステムの操作制御部として用いられる操作制御装置であって、
ユーザによる操作入力を受け付ける入力操作受付手段と、
上記入力操作受付手段によって受け付けた操作入力に応じて上記コンテンツ情報を上記各部間で送受するための制御信号を生成する制御信号生成手段と、
上記制御信号生成手段によって上記コンテンツ供給部からのコンテンツ情報が送られて表示再生されたコンテンツ表示再生部の選択履歴情報を記憶する記憶手段とを備え、
上記入力操作受付手段によって上記コンテンツ供給部からのコンテンツ情報をコンテンツ表示再生部に送信して表示再生を行う操作入力を受け付けた際に、上記制御信号生成手段は、上記記憶手段に記憶されたコンテンツ表示再生部の選択履歴情報に基づいて所定のコンテンツ表示再生部を選択し、この選択されたコンテンツ表示再生部に上記コンテンツ供給部からのコンテンツ情報を送信して表示再生を行わせるための制御信号を生成する
ことを特徴とする操作制御装置。
【請求項２０】
コンテンツ供給部と、コンテンツ表示再生部と、これらのコンテンツ供給部及びコンテンツ表示再生部に対して制御を行う操作制御部とを有し、操作制御部での操作制御によりコンテンツ供給部からのコンテンツをネットワーク経由でコンテンツ表示再生部に送信して表示再生するシステムであって、
上記操作制御部は、
ユーザによる操作入力を受け付ける入力操作受付手段と、
上記入力操作受付手段によって受け付けた操作入力に応じて上記コンテンツ情報を上記各部間で送受するための制御信号を生成する制御信号生成手段とを備え、
上記コンテンツ表示再生部は、
上記操作制御部による再生制御要求がなされたとき、少なくとも、現在の動作状態に応じて当該再生制御操作を受け付けるか否かを判断する制御手段を備える
ことを特徴とするコンテンツ表示再生システム。
【手続補正２】
【補正対象書類名】明細書
【補正対象項目名】００１８
【補正方法】変更
【補正の内容】
【００１８】
上述の課題を解決するために、本発明に係るコンテンツ表示再生システムは、コンテンツ供給部と、少なくとも１つのコンテンツ表示再生部と、これらのコンテンツ供給部及びコンテンツ表示再生部に対して制御を行う少なくとも１つの操作制御部とを有し、上記操作制御部での操作制御によりコンテンツ供給部からのコンテンツをネットワーク経由でコンテンツ表示再生部に送信して表示再生するシステムであって、上記操作制御部は、ユーザによる操作入力を受け付ける入力操作受付手段と、上記入力操作受付手段によって受け付けた操作入力に応じて上記コンテンツ情報を上記各部間で送受するための制御信号を生成する制御信号生成手段と、上記制御信号生成手段によって上記コンテンツ供給部からのコンテンツ情報が送られて表示再生されたコンテンツ表示再生部の選択履歴情報を記憶する記憶手段とを備え、上記入力操作受付手段によって上記コンテンツ供給部からのコンテンツ情報をコンテンツ表示再生部に送信して表示再生を行う操作入力を受け付けた際に、上記制御信号生成手段は、上記記憶手段に記憶されたコンテンツ表示再生部の選択履歴情報に基づいて所定のコンテンツ表示再生部を選択し、この選択されたコンテンツ表示再生部に上記コンテンツ供給部からのコンテンツ情報を送信して表示再生を行わせるための制御信号を生成することを特徴とする。
【手続補正３】
【補正対象書類名】明細書
【補正対象項目名】００１９
【補正方法】変更
【補正の内容】
【００１９】
ここで、上記制御信号生成部は、上記記憶手段に記憶された選択履歴情報に基づいて、前回選択されたコンテンツ表示再生部を選択することが挙げられる。また、上記制御信号生成部は、上記記憶手段に記憶された選択履歴情報に基づいて、選択された頻度が最も高いコンテンツ表示再生部を選択することが挙げられる。
【手続補正４】
【補正対象書類名】明細書
【補正対象項目名】００２１
【補正方法】変更
【補正の内容】
【００２１】
また、本発明に係るコンテンツ表示再生システムは、コンテンツ供給部と、複数のコンテンツ表示再生部と、これらのコンテンツ供給部及びコンテンツ表示再生部に対して制御を行う操作制御部とを有し、操作制御部での操作制御によりコンテンツ供給部からのコンテンツをネットワーク経由でコンテンツ表示再生部に送信して表示再生するシステムであって、上記操作制御部は、ユーザによる操作入力を受け付ける入力操作受付手段と、上記入力操作受付手段によって受け付けた操作入力に応じて上記コンテンツ情報を上記各部間で送受するための制御信号を生成する制御信号生成手段と、上記制御信号生成手段によって上記コンテンツ供給部からのコンテンツ情報が送られて表示再生されたコンテンツ表示再生部の選択の履歴情報を記憶する記憶手段と、表示手段とを備え、上記入力操作受付手段によって上記コンテンツ供給部からのコンテンツ情報をコンテンツ表示再生部に送信して表示再生を行う操作入力を受け付けた際に、上記表示手段は、上記記憶手段に記憶されたコンテンツ表示再生部の選択の履歴情報に基づいて、選択の頻度の高い順のコンテンツ表示再生部のリストを表示することを特徴とする。
【手続補正５】
【補正対象書類名】明細書
【補正対象項目名】００２３
【補正方法】変更
【補正の内容】
【００２３】
また、本発明に係るコンピュータ読み取り可能な記録媒体は、コンテンツ供給部と、少なくとも１つのコンテンツ表示再生部と、これらのコンテンツ供給部及びコンテンツ表示再生部に対して制御を行う操作制御部とを有し、操作制御部での操作制御によりコンテンツ供給部からのコンテンツをネットワーク経由でコンテンツ表示再生部に送信して表示再生するシステムにおけるコンテンツを表示再生するためのコンテンツ表示再生プログラムが記録された記録媒体であって、上記操作制御部における制御は、ユーザによる操作入力を受け付ける入力操作受付工程と、上記入力操作受付工程によって受け付けた操作入力に応じて上記コンテンツ情報を上記各部間で送受するための制御信号を生成する制御信号生成工程と、上記制御信号生成工程によって上記コンテンツ供給部からのコンテンツ情報が送られて表示再生されたコンテンツ表示再生部の選択履歴情報を記憶手段に記憶する記憶工程とを備え、上記入力操作受付工程によって上記コンテンツ供給部からのコンテンツ情報をコンテンツ表示再生部に送信して表示再生を行う操作入力を受け付けた際に、上記制御信号生成工程は、上記記憶手段に記憶されたコンテンツ表示再生部の選択履歴情報に基づいて所定のコンテンツ表示再生部を選択し、この選択されたコンテンツ表示再生部に上記コンテンツ供給部からのコンテンツ情報を送信して表示再生を行わせるための制御信号を生成することを特徴とするコンテンツ表示再生プログラムが記録されたものである。
【手続補正６】
【補正対象書類名】明細書
【補正対象項目名】００２４
【補正方法】変更
【補正の内容】
【００２４】
さらに、本発明に係る操作制御装置は、コンテンツ供給部と、少なくとも１つのコンテンツ表示再生部と、これらのコンテンツ供給部及びコンテンツ表示再生部に対して制御を行う操作制御部とを有し、操作制御部での操作制御によりコンテンツ供給部からのコンテンツをネットワーク経由でコンテンツ表示再生部に送信して表示再生するシステムの操作制御部として用いられる操作制御装置であって、ユーザによる操作入力を受け付ける入力操作受付手段と、上記入力操作受付手段によって受け付けた操作入力に応じて上記コンテンツ情報を上記各部間で送受するための制御信号を生成する制御信号生成手段と、上記制御信号生成手段によって上記コンテンツ供給部からのコンテンツ情報が送られて表示再生されたコンテンツ表示再生部の選択履歴情報を記憶する記憶手段とを備え、上記入力操作受付手段によって上記コンテンツ供給部からのコンテンツ情報をコンテンツ表示再生部に送信して表示再生を行う操作入力を受け付けた際に、上記制御信号生成手段は、上記記憶手段に記憶されたコンテンツ表示再生部の選択履歴情報に基づいて所定のコンテンツ表示再生部を選択し、この選択されたコンテンツ表示再生部に上記コンテンツ供給部からのコンテンツ情報を送信して表示再生を行わせるための制御信号を生成することを特徴とする。